(57)【要約】ビデオ投写型ディスプレイの画像の中心補正調整を多数回用いることにより生ずる累進的な丸め誤差及びコンバーゼンス誤差は、動かされる色信号についての、中心でない行列値が初期アラインメントで記憶された初期的に測定されたセンサ値と最近測定されたセンサ値との差を表わすような３×３行列を計算することによって減少される。行列の中心値は、エッジ中心誤差、記憶された以前の移動の和、及び現在の移動から計算される平均値の合計である。センサ発見ルーチンの再実行は、記憶された移動の和をゼロにリセットする。
2005535183.tif 000002
【特許請求の範囲】
【請求項１】
表示スクリーン上に画像を生成する複数のビームの制御可能な源と、
感光出力信号を発生するよう前記画像により生成される光に感応性のある光センサと、
センタリング信号の源と、
前記感光出力信号に対して感応性があり、選択されたときに、メモリ内に第１の複数の補正値を格納するよう自動画像歪み補正動作を実行するプロセッサとを有し、
前記プロセッサは、前記センタリング信号及び前記メモリ内に格納された補正値に対して更に感応性があり、前記画像の画像センタリング変化を与えるよう前記複数のビームの前記制御可能な源に印加される第２の複数の補正値を生成し、前記センタリング信号に従って、画像センタリング動作のいかなる可能なシーケンスについても、前記表示スクリーン上に画像を形成する複数のカラーバンドのうちの１つの中心と他のカラーバンドのうちの１つの中心との間の差についての最悪の場合の変化が０．５ミリメートルよりも小さいようにされる、ビデオ表示装置。
【請求項２】
前記第１の複数の補正値は、初期センサ位置データ及び更新されたセンサ位置データから導出されるデータを含む、請求項１記載の表示装置。
【請求項３】
前記第２の複数の補正値は、計算されたエッジ中心誤差に関連する値、現在の中心の移動に関連する現在移動変数、及び、中心位置からの以前の移動の履歴を含む、請求項１記載の表示装置。
【請求項４】
前記第２の複数の補正値は整数情報を含む、請求項３記載の表示装置。
【請求項５】
前記イメージングセンタリング変化は、位置的なイメージング情報のユーザ調整に応じて生ずる、請求項１記載の表示装置。
【請求項６】
前記第１の複数の補正値は、初期センサ位置データと更新されたセンサ位置データとの間の差を示すセンサオフセット値の行列計算から導出される、請求項１記載の表示装置。
【請求項７】
前記第２の複数の補正値は、前記第１の補正値と以前の中心位置オフセットを考慮に入れる更新された中心位置値とに基づき３×３行列計算から導出される、請求項１記載の表示装置。
【請求項８】
前記第１及び第２の複数の補正値は整数であり、前記第１の複数及び第２の複数は、コンバーゼンスデータの第１の組及び第２の組の３×３行列計算から夫々導出され、前記第１の組及び第２の組の行列計算は、前記表示スクリーンの中心位置に関連する中心オフセットに対応する中心行列値を除き、同じ値を用いる、請求項１記載の表示装置。
【請求項９】
前記第２の組の行列計算の前記中心値は、中心位置からの現在の移動及び以前の中心位置の移動の和から導出される整数データを含む、請求項８記載の表示装置。
【請求項１０】
表示スクリーン上に画像を生成する複数のビームの制御可能な源と、
感光出力信号を発生するよう前記画像により生成される光に感応性のある光センサと、
センタリング信号の源と、
前記感光出力信号に対して感応性があり、選択されたときに、メモリ内に第１の複数の補正値を格納するよう自動画像歪み補正動作を実行するプロセッサとを有し、
前記プロセッサは、前記センタリング信号及び前記格納された第１の複数の補正値に対して更に感応性があり、前記画像の画像センタリング変化を与えるよう、前記複数のビームの前記制御可能な源に印加される第２の複数の補正値を生成し、前記センタリング信号に従って、前記第２の複数の補正値を生成するのに毎回用いられる前記格納された第１の複数の補正値は、いかなる介在する画像センタリング変化によっても変更されないようにされる、ビデオ表示装置。
【請求項１１】
前記第１の複数の補正値は、初期センサ位置データと更新されたセンサ位置データとの間の差を示すセンサオフセット値の行列計算から導出される、請求項１０記載の表示装置。
【請求項１２】
前記第２の複数の補正値は、前記第１の補正値と以前の中心位置オフセットを考慮に入れる更新された中心位置値とに基づき３×３行列計算から導出される、請求項１０記載の表示装置。
【請求項１３】
前記第１及び第２の複数の補正値は整数であり、前記第１の複数及び第２の複数は、コンバーゼンスデータの第１の組及び第２の組の３×３行列計算から夫々導出され、前記第１の組及び第２の組の行列計算は、前記表示スクリーンの中心位置に関連する中心オフセットに対応する中心行列値を除き、同じ値を用いる、請求項１０記載の表示装置。
【請求項１４】
前記第２の組の行列計算の前記中心値は、中心位置からの現在の移動及び以前の中心位置の移動の和から導出される整数データを含む、請求項１３記載の表示装置。
【請求項１５】
表示スクリーン上に画像を生成する複数の光源を有し、マーカによって照明される多数の光センサがそれに関連付けられうる、投写型表示装置における中心コンバーゼンス補正の方法であって、
光センサの初期位置データ、更新された一組の光センサの位置データ、及びメモリ内に格納される中心移動変数の第１の組に関連する補正値の第１の組を決定し、
光源選択及びセンタリング信号の移動を示す光センサの照明に応じて前記ディスプレイ上で前記画像位置の調整を行い、
前記補正値の第１の組及び前記センタリング信号に関連する中心位置からの現在の移動に基づいて補正値の第２の組を決定し、前記表示スクリーン上の中心位置からの以前の移動の履歴を考慮に入れ、
前記画像の画像センタリング変化を与えるよう前記センタリング信号に前記補正値を適用し、前記画像中心の全ての後の調整について、前記補正値の第１の組はいかなる介在する更新画像センタリング変化によっても変更されない、方法。
【請求項１６】
前記補正値の第２の組を決定する前記段階は値の行列を決定することを含み、前記行列は、前記中心位置の現在の移動及び前記中心の移動の履歴に関連する整数値から導出される中心値を有する、請求項１５記載の方法。
【請求項１７】
前記補正値の第２の組を決定する段階は、前記値の行列を３×３行列として決定することを含み、前記中心値は、左及び右のセンサ垂直位置の差と上及び下のセンサ水平位置の差の平均と、以前の中心の移動の距離の合計と、前記中心位置からの現在の移動の平均とを集計したものである、請求項１６記載の方法。
【請求項１８】
エッジセンサデータに関連付けられる前記他の行列値のうちの少なくとも１つは非ゼロである、請求項１７記載の方法。
【請求項１９】
多数回の画像センタリング動作は、前記表示スクリーン上の前記エッジ画像センサ位置に影響を与えることなく前記画像中心位置に対して漸進的な効果がある、請求項１７記載の方法。
【請求項２０】
前記中心移動履歴は、現在の中心の移動を以前の移動の履歴の和の値と加算し、前記和をメモリに格納することにより続くコンバーゼンス補正に用いられるよう更新される、請求項１８記載の方法。
【請求項２１】
表示スクリーン上に画像を生成する複数の光源を有し、マーカによって照明される多数の光センサがそれに関連付けられる、表示装置のプロセッサを制御するコンピュータ実行可能な命令がその上に符号化されたコンピュータ読み取り可能な媒体であって、
前記実行可能な命令は、前記プロセッサにおいて実行されると、
光センサの初期位置データ、更新された一組の光センサの位置データ、及びメモリ内に格納される中心移動変数の第１の組に関連する補正値の第１の組を決定し、
光源選択及びセンタリング信号の移動を示す光センサの照明に応じて前記ディスプレイ上で前記画像位置の調整を行い、
前記補正値の第１の組及び前記センタリング信号に関連する中心位置からの現在の移動に基づいて補正値の第２の組を決定し、前記表示スクリーン上の中心位置からの以前の移動の履歴を考慮に入れ、
前記画像の画像センタリング変化を与えるよう前記センタリング信号に前記補正値を適用し、前記画像中心の全ての後の調整について、前記補正値の第１の組はいかなる介在する更新画像センタリング変化によっても変更されない、方法を実行する、コンピュータ読み取り可能な媒体。
【発明の詳細な説明】
【技術分野】
【０００１】
［優先権の主張］
本願は、２００２年７月３１日出願の「CENTER CONVERGENCE OPTIMIZATION IN A
PROJECTION DISPLAY APPARATUS」なる名称の米国仮特許出願第６０／３９９，８６５号に基づき優先権を主張する。
【０００２】
［技術分野］
本発明は、ビデオ投写型ディスプレイの分野に関連し、特に自動化されたコンバーゼンス補正後の投写された画像中心における微細なコンバーゼンス誤差の補正に関連する。
【背景技術】
【０００３】
投写型ビデオディスプレイでは、幾何学的なラスタ歪みは陰極線表示管の物理的な配置から生ずる。かかるラスタ歪みは、湾曲した凹面ディスプレイ面を有する陰極線管を用いること及び光学投写路に内在する拡大により悪化される。投影される画像は、観察スクリーン上では互いに対して位置合わせされることが要求される３つの走査ラスタから構成される。３つの投射された画像の正確な重ね合わせは、幾何学的な歪みを補償し３つの投写される画像の重ね合わせを容易とするよう多数の波形の調整を必要とする。しかしながら、多数の波形の手動のアラインメントは、製造中の手間を必要とし、洗練された試験機器を使用しなくては現場又はユーザの場所でのセットアップを不可能とするかもしれない。現場での調整は、ディスプレイに入射する地球の磁界の方向及び強度を変化させるディスプレイの移動により必要とされることが多い。このような地球磁場及び局所的な磁化された物体からの更なる入射磁場は、いくらかの画像回転をもたらすが、主にピクチャ全体の直線的な移動を生じさせる。従って、製造時のアラインメントを簡単とし、現場での調整を容易とする自動化されたコンバーゼンスシステムが開示される。自動化されたアラインメントシステムは、ラスタサイズ及びコンバーゼンスを決定するために周辺スクリーン位置におけるラスタエッジ測定を使用しうる。しかしながら、中心スクリーン領域における誤差は測定されず、なぜならば、中心スクリーンセンサは、明らかな理由により望ましくないからである。
【０００４】
投写型テレビジョン受像機では、３つの色の画像のコンバーゼンスは、機器が異なる磁場へ移動された後に、３×３行列を形成するようピクチャのエッジの周りに配置された８つの光センサの配列を用いて回復されうる。中心のセンサは無い。コンバーゼンスを、３つ色の夫々について格納するために、センサはまず、ピクチャの幾何形状に関して位置的に固定された照明された領域の光コントラストエッジを用いた初期のコンバーゼンスアラインメントの後に配置される。ピクチャは、ディジタルコンバーゼンス偏向を介して移動される。この変更のディジタル値は、各色についてのエッジ位置に対応し、各センサは不揮発性メモリ内に格納される。受像機が新しい位置へ移動されると、地球磁場の変化は、ピクチャ全体の線形の移動及びいくらかのディスプレイ画像回転をもたらす。画像配置は画像全体に亘って一貫しているため、画像中心における使用のために平均補正値が計算されうる。コンバーゼンスは、再び、センサ位置を測定することにより回復される。各色について、初期及び最新のセンサ位置データを用いて３×３差分行列が計算される。各色ピクチャは、同じピクチャ面積をカバーする１５×１３のディジタルコンバーゼンス補正行列に当てはまる放物線曲線を介して３×３差分行列結果を適用することにより歪まされる。この処理は、センサ位置に対するピクチャ幾何学形状の初期の関係を回復する。スクリーン中心に小さいコンバーゼンス誤差が残りうる。これらは、高コントラストの垂直及び水平エッジを有する２つの色の中心に合わされたビデオ表示を用いて１つの色を他の色に重ねることによって手動で補正されうる。次に、３×３差分行列は、中心を除く全ての位置で０誤差を、中心誤差について手動の移動の距離を用いて、手動で動かされた色について計算される。中心が移動された色については、ピクチャは上述のように歪まされる。
【発明の開示】
【発明が解決しようとする課題】
【０００５】
いかなる以前の中心補正調整をも打ち消すセンサ探索ルーチンを再実行することなく、この中心調整が多数回行われると、累進的な丸め誤差及び望ましくないコンバーゼンス誤差が生ずる。
【課題を解決するための手段】
【０００６】
本発明によれば、中心補正調整が多数回用いられることによる累進的な丸め誤差及びコンバーゼンス誤差は、中心でない行列値が初期アラインメントで格納された初期的に測定された値と格納された最近測定された値との間の差である、移動された色についての３×３行列を計算することによって除去される。行列中心値は、エッジ中心誤差から計算される平均値、記憶された以前の移動の和、及び現在の移動の和である。センサを見つけるルーチンを再実行すると、中心の移動の和はゼロにリセットされる。
【発明を実施するための最良の形態】
【０００７】
図１Ａは、ビデオ投写型ディスプレイ装置を示す正面図である。投写型ディスプレイは、複数の陰極線管を有し、ラスタ走査された画像がスクリーン７００上に投射される。キャビネットは、スクリーン７００を支持し、囲み、スクリーンよりも僅かに小さいピクチャ表示領域８００を与える。スクリーン７００は、エッジ領域を示すよう破線と共に示され、エッジ領域は、キャビネットＣにより隠され、オーバースキャンモードで動作するときは領域ＯＳで示すようなラスタ走査された画像で照明されうる。光センサは、スクリーン７００の周囲に隣接して、隠されたエッジ領域の内側且つ観察領域８００の外側に配置される。図１Ａ中、測定グリッド（図示せず）上に位置する８つのセンサが示されており、測定グリッドはスクリーンのエッジの隅及び中央における測定を与える。従って、これらのグリッド上に配置されたセンサ位置では、ピクチャの幅及び高さ、並びに、例えば回転、反り、台形歪み、糸巻き形歪み等の幾何学的誤りを決定するために、例えばピークビデオ値ブロックＭ等の同様にフォーマットされた電子的に生成されたテストパターンを測定すること、それによりスクリーン領域全体に亘って表示された画像を互いに対して重なり合うよう整列させることが可能である。測定は、３つの投写される色画像の夫々の中で水平方向及び垂直方向のいずれでも行われ、従って少なくとも４８個の測定値を生じさせる。
【０００８】
ディスプレイのいかなる物理的な再配置又は方向付けも、平行移動又は回転ピクチャ位置誤りを生じさせる。図１Ｂ中、破線によって示す典型的なテストパターンＭＣＲは、実線ＣＲで示すような整列した位置からずらされて示されている。表示されるピクチャ形状は、３×３行列計算を用いて補正されうる。図１Ｂ中、中心スクリーンセンサＳ９は、位置データがこのスクリーン位置から得られる実用的でない条件を表わすために示されている。しかしながら、かかる中心スクリーン位置は、通常のピクチャ投写を阻止し、従って理論上のセンサＳ９は図示のようには使用されえない。従って、中心スクリーンセンサなしでは、誤差情報はなく、中心行列誤差値はゼロとであると想定される。このように中心誤差情報が欠けていることは、ディスプレイのエッジが補正されるが、いかなる初期誤差もゼロ行列値によりスクリーン中心に残る、という結果を生じさせる。このように中心センサの欠けていることは、赤及び青の画像を緑の画像へとする中心スクリーンコンバーゼンスの手動タッチアップ調整に対する要求を生じさせる。更に、中心測定が欠けていることは、中心における誤差が補正されず、エッジにおける補正により悪化されうるため、緑表示画像のいくらかの幾何学的な歪みを生じさせる。
【０００９】
上述のように、磁気的に偏向される表示装置の再配置に続き、表示される画像は移動又は望ましくない変位を受ける。このような装置の再配置は、いくらかの表示画像の回転を生じさせるが主にピクチャ全体の直線的な移動を生じさせる、地球の磁場の方向及び強度を変化させる。画像の変位は、表示画像領域全体に亘って一貫性がある。従って、平均補正値は、補正行列中の中心スクリーン値としての使用のために計算される。
【００１０】
図１Ｂに示す理論上の中心スクリーンセンサＳ９は、明らかに非実用的であり、使用されえないが、この場所についての位置データは有利に補間により導出される。中心スクリーン水平位置は、スクリーンの上側エッジの中心及びスクリーンの下側エッジの中心に夫々配置されるセンサＳ２及びＳ６によって決定される水平補正値の平均から計算される。中心垂直値は、同様に、スクリーンの左側エッジの中心に配置されるセンサＳ８及びスクリーンの右側エッジの中心に配置されるセンサＳ４によって決定される。
【００１１】
中心誤差をこのように定義して３×３行列計算を行うと、３つの全ての色についての全ての直線的な移動誤差及び回転誤差は、実質的に除去され、更に、緑画像中の幾何学的誤りはかなり減少される。更に、緑に対する赤及び青の中心コンバーゼンス誤差は、わずかな完璧なものとするための手動調整のみが必要とされうるよう最小化される。
【００１２】
８つのセンサを有する自動アラインメントシステムについての中心オフセット決定は、以下のように行われる。公称のセンサ位置からの水平及び垂直のオフセットの測定は、地球磁場の影響によるラスタシフト及び回転を補償するよう、コンバーゼンス値に補間アルゴリズムを適用して行われる。スクリーンの周囲におけるセンサの使用は、スクリーンエッジにおける表示画像の測定を可能とする。従って、水平及び垂直のオフセット又は公称のセンサ位置からの配置誤差は、各色（赤、緑、及び青）についてセンサＳ１乃至Ｓ８で測定される。しかしながら、中心位置のためのセンサＳ９は無いため、欠けている中心オフセットに対する近似値は、有利には、測定された同一直線上の水平及び垂直のオフセットによって導出される。平均水平中心オフセット（Ｈａｖｅ）は、センサ位置Ｓ２及びＳ６で測定されたオフセット値から導出され、
Ｓ９（Ｈａｖｅ）＝（Ｓ２ｖａｌ＋Ｓ６ｖａｌ）／２
である。装置内のＣＲＴ位置により、地球磁気に関連するシフトは略直線的であり、従って、この中心平均値は水平中心オフセットに対して妥当な近似値を与える。同様に、平均垂直オフセット値（Ｖａｖｅ）は、センサＳ４及びＳ８から導出され、
Ｓ９（Ｖａｖｅ）＝（Ｓ４ｖａｌ＋Ｓ８ｖａｌ）／２
である。平均中心値を使用することは、ラスタシフトの場合、目立った幾何学的歪みがかなり除去され、自動コンバーゼンスの後の手動タッチアップ調整がかなり避けられることを保証する。図３、図４、及び図５に、オフセット（エッジ）検出処理のハイレベル・フローチャートを示す。
【００１３】
測定及びアラインメントシステムの動作について、ラスタ走査されるビデオ投写型ディスプレイの一部をブロック図として示す図２を参照して説明する。図２中、３つの陰極線管Ｒ、Ｇ、及びＢは、スクリーン７００上に単一の表示画像８００を集束し形成するよう個々のレンズ系を通って方向付けられるラスタ走査される単色カラー画像を形成する。各陰極線管は、水平及び垂直の偏向、並びに、水平及び垂直コンバーゼンスを与える４コイル組と共に示されている。水平偏向コイル組は、水平偏向増幅器６００によって駆動され、垂直偏向コイル組は、垂直偏向増幅器６５０によって駆動される。典型的な緑チャネル水平集束コイル６１５は、偏向増幅器６１０及びディジタル・アナログ変換器３１１からの駆動を受ける。緑垂直偏向コイル６６５は、偏向増幅器６６０及びディジタル・アナログ変換器３１２からの駆動を受ける。ディジタル・アナログ変換器３１２及び３１１からの偏向波形信号は、ＩＣ  ＲＡＭメモリ３０５に格納されたデータにより振幅及び波形について制御される。適当なデータは、制御論理３０１を介してスクラッチパッド電子消去可能な読み出し専用メモリ（ＥＥＰＲＯＭ）５５０から選択されるか、或いは、バス３０２及びコンバーゼンスマイクロ制御器９００を介して参照ＥＥＰＲＯＭ９２０から選択される。補正波形信号ＧＨＣ及びＧＶＣは、例えば静的及び動的なコンバーゼンスであるＤＣ及びＡＣコンバーゼンス信号を表わすと考えられうる。しかしながら、これらの機能的な属性は、例えば、ラスタ全体を動かすために全ての測定位置アドレスを同じ値又はオフセットだけ変更することによって容易となり、明らかな静的なコンバーゼンス又はセンタリング効果を達成する。同様に、動的なコンバーゼンス効果は、特定の測定位置の位置アドレスの変更によって生じうる。
【００１４】
入力表示信号選択器は、バス９５１により、例えば、ＮＴＳＣ（National Television Systems committee）方式を用いるアナログ放送又はビデオ信号及びＡＴＳＣ（Advanced Television Systems committee）方式を用いるディジタル放送又はビデオ信号である、２つの信号源ＩＰ１及びＩＰ２のいずれかを選択する。ビデオ信号ＲＧＢは表示ビデオ選択器から導出され、例えばユーザ制御情報、ディスプレイ設定及びアラインメント信号、並びに、バス３０２及び９５１を介して結合された制御器３０１、９００及び９５０からのコマンドに応じて発生されたメッセージ等の電子的に発生されたメッセージ情報はオンスクリーン・ディスプレイ・発生器５００によって組み合わされうる。自動化された感度較正又はコンバーゼンスアラインメント中、制御器９００は、データバス３０２を介して制御器３０１へコマンドを送り、制御器３０１は、ビデオ発生器３１０に、所定のビデオ振幅値を有する矩形ブロックＭを有する典型的な黒レベル信号を含む典型的な緑チャネル較正ビデオテスト信号ＡＶを発生するよう命令する。制御器９００及び３０１はまた、走査されるディスプレイラスタ内にブロックＭを位置決めするよう水平及び垂直タイミングを決定することにより、又はマーカブロックＭを含む走査されるラスタ、或いは走査されるラスタの一部を動かすことにより、典型的なセンサＳ１を照明するようブロックＭを位置決めする。緑チャネルテスト信号ＡＶは、ＩＣ３００から出力され、増幅器５１０において、オンスクリーン・ディスプレイ・発生器５００からの出力信号と組み合わされる。従って、増幅器５１０からの出力信号は、典型的な緑の陰極線管ＧＣＲＴに結合され、ディスプレイ源ビデオ及び／又はＯＳＤで発生された信号及び／又はＩＣ３００で発生された較正ビデオテスト信号ＡＶを含みうる。
【００１５】
色依存のセンサ感度を補正するために、ビデオ発生器３１０から出力される赤又は青の駆動に応答的なスイッチＳＷr及びＳＷbは、センサ検出器２７５によりセンサＳ１−Ｓ８からの光依存の電流Ｉsenと比較される参照電流Ｉrefを作るよう、Ｉred又はＩblueのいずれかをＩgreenに加える。
Ｉsw＝Ｉref−Ｉsen
ＩsenがＩrefを超えるとき、Ｉswは負となり、光が検出されたことを示す。
【００１６】
制御器３０１は、様々なアルゴリズムを有するコンバーゼンスマイクロ制御器９００に格納されるプログラムを実行する。３つの色画像の調整及びアラインメントを容易とするために、セットアップブロックＭは、上述したように発生され、典型的な緑のＣＲＴに結合される。図１中、テストパターンであるブロックＭはセンサＳ１に近づいているところが示され、上述のように、各センサは、オーバースキャンされたラスタで投写されるビデオ信号内のマーカブロックがタイミングをとって発生されることによって、又は、マーカブロックＭがセンサＳ１を照らすよう、走査されるラスタを位置決めすることによって、照明されうる。例えばＡＴＳＣディジタル方式信号等のいくつかのディジタル信号入力では、信号の表示のために、走査される領域の略全てが使用されえ、オーバースキャンされたラスタはかなり除かれる。従って、この、略ゼロのオーバースキャンの条件では、典型的なセンサＳ１は、ブロックＭのラスタ位置決めによって、又はピクチャサイズの一時的な拡張によって照明されうる。明らかに、個々のセンサの照明は、ビデオ信号タイミング、ラスタ位置決め、及びラスタサイズ変更の両方の組合せによって容易とされうる。
【００１７】
図２を参照するに、ビデオ発生器３１０は、制御論理３０１により、初期の非ピークビデオ値を有し、実質的に黒又は黒に近いレベルの背景上に位置決めされる典型的な緑ビデオブロックＭを発生する。非ピークビデオ値を伴う同様のビデオブロックは、各色チャネル内で発生されえ、同時に発生されスクリーンにおいて重ね合わされると、略黒の背景上に整列された白の画像ブロックを生じさせる。従って、典型的な緑ブロックＭは、ビデオ発生器３１０によって発生され、増幅器５１０を介して緑ＣＲＴに結合される。ビデオ発生器３１０は、例えばセンサＳ１等の特定のセンサがブロックＭからの緑の光によって照明されるよう、水平及び垂直スクリーン位置において緑のブロックＭを発生するよう、マイクロ制御器３０１によって制御される。センサを照明することは、図２に示すように、光で発生された電流Ｉsenを生じさせる。
【００１８】
光で発生された大きく異なるセンサ電流は、有利には、発生器３１０からの駆動の調整によって補償され、較正され、測定される。センサ検出器２７５は、図２の回路ブロック２００中に示されている。簡単にいえば、参照電流Ｉrefは、ビデオ発生器３１０によって点灯される色に従って発生される。基本的な参照電流Ｉgreenは常に存在する。センサの緑の励起は、より小さいセンサ光電流Ｉsenを生じさせる。赤又は青について、スイッチＳＷr青のスイッチＳＷbはビデオ発生器３１０の色出力を検出し、検出器の感度を均等化するよう追加的な電流Ｉred又はＩblueを追加する。センサ電流Ｉsenは、検出器２７５の電流Ｉswを生じさせするよう参照電流Ｉrefから差し引かれる。Ｉswが負となり、光に関連する電流Ｉsenが参照電流Ｉrefよりも大きいことを示すとき、検出器２７５はコンバーゼンスマイクロ制御器９００へ光が存在することを示す論理信号を送る。ビデオ発生器３１０は、例えば、１５のレベルの駆動を有しうる。制御器９００及び３０１の制御下で、各色について、３１０の駆動の低いレベルから始めて、段階的に増加させて、光レベルは、光が各センサ位置において見られることが可能となるまで高められる。そして各色に対する駆動は、色について一定とされる。センサ照明が無いとき、センサＳ１は高いインピーダンスを表わし、従ってわずかな電流Ｉsenを参照電流Ｉrefからそらす。従って、参照電流Ｉrefの大部分は、電流Ｉswとしてセンサ検出器２７５に結合される。電流Ｉswは、出力状態が低となるよう検出器２７５にバイアスをかけ、出力状態の低は、照らされていない又は照明されていないセンサを表わすよう選定されている。センサＳ１が照明されると、光で発生された電荷は、センサが低いインピーダンスを有するようにし、より大きい電流Ｉsenを、参照電流Ｉrefから分流させ、電流Ｉswをセンサ検出器２７５からそらす。特定の照明レベルでは、センサＳ１は、十分な電流をセンサ検出器２７５からそらし、検出器２７５をスイッチオフさせ、照らされた又は照明されたセンサを示すよう選定された高い公称の供給電圧電位をとるようにされる。センサ検出器２７５からの出力は、コンバーゼンスマイクロ制御器９００の入力に結合される正方向のパルス信号２０２である。ピクチャラスタの走査は、照明されるセンサにおいて各垂直偏向期間に一回、光パルスを生じさせる。垂直同期信号Ｖは、各垂直期間の始まりにおいてコンバーゼンスマイクロ制御器９００へタイミング参照を与える。垂直期間中に光が存在することは、制御器９００に、光が見られたことについての記録をとらせ、照らされる領域の位置を進めさせる。暗い２つの垂直期間は、光が見られていないことについて記録をとらせ、点灯された領域の位置を進めさせる。２つの垂直期間の最大は、インタレースされたラスタの光を検出するために、最大で２つの垂直期間が必要である。点灯された領域の位置を光が見られた直後に進めることは、サンプリング処理における時間を節約し、なぜならば光は、第１の垂直期間に見られることがあり、第２の垂直期間はなくされうるからである。
【００１９】
図３は、固定の光センサに対して水平なラスタ位置を決定する典型的なシーケンスを示すフローチャートである。シーケンスは、現在センサとしてセンサ１が選択され、現在チャネルとして緑チャネルが選択される、ステップ１０において開始する。ステップ２０は、現在チャネル内の現在センサによるマーカ水平エッジの決定を要求する。ステップ３０において、マーカ又は垂直矩形が発生され、投写され、現在センサの左側の領域を照明する。ステップ４０において、現在の色である緑に対する例えばＨシフトといった静的な位置は、最大の左の位置に設定され、ステップ５０において、光センサは、マーカ矩形による照明の有無を判定するために調べられる。ステップ５０において、ＮＯであると判定されると、ステップ６０において、静的位置が右へ動かされ又は変更され、これは再びステップ５０において調べられる。この前進的な右への移動のループするシーケンスは、ステップ５０においてＹＥＳであると判定されるまで続き、ＹＥＳと判定されると、ステップ７０において、センサが照明されることを生じさせた値又は移動の位置が記録又は記憶される。
【００２０】
先行するシーケンスは、右側からセンサに近づくマーカ矩形について繰り返される。ステップ８０は、センサの右側のマーカ照明を表示し、センサはステップ９０において、マーカによる照明について判定するよう調べられる。ステップ９０の結果がＮＯであれば、左方向への静的な位置の移動又は変化を生じさせるステップ１００を開始させ、これは再びステップ８０で調べられる。ステップ９０及び１００からなるループは、センサが照らされるまで続き、ステップ９０の結果がＹＥＳを示すと、センサの検出を生じさせた移動の値を記録するステップ１１０へ進む。センサ検出を生じさせた記憶又は記録された左及び右の移動の値は、ステップ１２０において、補正行列に使用される平均水平位置を形成するよう処理される。この水平位置測定に続き、同様のシーケンスが水平ラスタ方向に実行され、ステップ１３０で開始される。
【００２１】
ステップ１４０において、マーカ矩形は現在センサの上に生成及び位置決めされる。現在の色に対する静的な垂直位置は、ステップ１５０において最大値に設定され、センサはステップ１６０においてマーカによる照明について調べられる。ステップ１６０の結果がＮＯであれば、ステップ１７０によってマーカの静的な位置が下向きに移動され、ステップ１６０において再び調べられ、ステップ１６０においてＹＥＳの結果が得られるまで下向きの移動を続けさせる。ステップ１６０の結果がＹＥＳであれば、ステップ１８０において、センサ検出を生じさせた移動の値を記録又は記憶させる。ステップ１９０において、マーカは現在センサの下に再び位置決めされ、ステップ２００において、マーカ位置はマーカによるセンサの照明について調べられる。ステップ２００の結果がＮＯであれば、ステップ２１０においてマーカは上向きの方向に移動され、ステップ２００において再び調べられる。この移動のループは、センサがマーカによって照明されるまで、また、ステップ２００の結果がＹＥＳとなり、ステップ２２０において移動の値を記憶又は記録させるまで続けられる。センサ検出を生じさせる２つの記憶された垂直移動値は、ステップ２９０において垂直値を形成するよう平均がとられ、３×３コンバーゼンス補正行列における使用のために記憶される。移動パターンは、ここで簡単化のために図示するように線形であってもよく、又は、改善された探索速度のために二分探索法といった他の形をとってもよい。
【００２２】
ステップ２４０において、８個のセンサ位置の全てが測定されたか否かの判定について調べられ、結果がＮＯであれば、ステップ２５０において現在センサ番号を１つインクリメントさせ、ステップ２０へ戻ることにより水平エッジの検出を開始する。従って、ステップ１０乃至２５０からなるシーケンスは、各センサ位置について水平及び垂直のラスタ走査方向のいずれでもラスタ配置誤差を測定し、平均誤差値が計算され記憶される。従って、ステップ２４０の結果がＹＥＳであるとき、全てのセンサ位置が測定されており、平均がとられ、記憶される。ステップ２４０の結果がＹＥＳであれば、ステップ２６０において完了した測定シーケンスがどの色で実行されたかを判定する更なるテストが実行される。ステップ１０は、緑チャネルで測定シーケンスを開始しているため、テスト２６０は、ＧＲＥＥＮ  ＹＥＳ（緑である）を示し、次に、ステップ２７０において、現在チャネルをＢＬＵＥに変更し、現在センサを１に設定する。ステップ２７０に続き、シーケンスは、青チャネル中の水平エッジを決定するステップ２０へ戻る。上述のように、ステップ１０乃至２５０のシーケンスは、水平及び垂直の両方のラスタ走査方向のラスタ配置誤差について各センサ位置を測定させ、平均値が定めさせ、格納させる。ステップ２４０の結果がＹＥＳであれば、全てのセンサ位置が測定され、平均され、格納されており、ステップ２６０はどの色が測定されているかを判定する。ステップ２７０では、現在色はＢＬＵＥに変更しているため、ステップ２６０はＢＬＵＥ  ＹＥＳ（青である）を示し、続いてステップ２８０において現在チャネルをＲＥＤに変更し、現在センサを１に設定する。続いてシーケンスシーケンスはステップ２０へ戻り、赤チャネルにおいて水平エッジ決定を行う。上述のようにステップ１０乃至２５０は、水平及び垂直の両方向に全てのセンサ位置についての位置的な誤差を想定し記憶するために１６回行われる。最後に、ステップ２６０の結果がＲＥＤ  ＹＥＳ（赤である）であれば、８つの全てのセンサは、３つの全ての色について水平及び垂直の両方向に測定されており、４８個の記憶された平均ラスタ配置誤差値を生じさせる。
【００２３】
これらの記憶された誤差値は、上述され、図５に示すシーケンスに図示した３×３コンバーゼンス再計算行列に適用される。ステップ３２０は、ステップ３３０におけるコンバーゼンス再計算を開始させ、欠けている中心スクリーンセンサＳ９についての平均水平オフセット誤差を有利に形成する。この平均水平中心オフセット（Ｈａｖｅ）は、上述のように、各色でのセンサ位置Ｓ２及びＳ６についてステップ１２０及び２３０において測定された記憶された平均化されたオフセット値を平均化することによって導出され、
Ｓ９（Ｈａｖｅ）＝（Ｓ２ｖａｌ＋Ｓ６ｖａｌ）／２
である。これらの平均水平中心オフセット値は、後の使用のために記憶される。この有利な処理は、ステップ３４０において、センサＳ４及びＳ８についての平均化された位置誤差値から中心平均垂直オフセット誤差値（Ｖａｖｅ）を確立するために繰り返され、
Ｓ９（Ｖａｖｅ）＝（Ｓ４ｖａｌ＋Ｓ８ｖａｌ）／２
である。これらの計算された平均中心スクリーン値は、ステップ３５０及び３６０において水平及び垂直集束波形値を夫々決定するよう曲線当てはめ計算における後の使用のために格納される。ステップ３７０において、集束されたピクチャを回復するのに必要な新しいコンバーゼンス信号が現在値に加えられ、例えば典型的な緑のコイル６１５及び６６５といった水平及び垂直集束コイルに印加される。
【００２４】
ステップ３５０及び３６０において実行される曲線当てはめ計算の目的は、測定され計算された同一直線上の水平及び垂直オフセット値を通る波形を発生することである。曲線を既存のコンバーゼンス値に追加することは、ピクチャを集束された状態へ戻す。このような曲線当てはめ計算は、既知であるが、以下これについて簡単に説明する。
【００２５】
図１Ｂに関して上述したように、センサＳ１乃至Ｓ８は、オーバースキャンされたラスタの場合についての典型的な表１に示すように、座標を有する典型的なグリッド上に配置されうる。原点は左上の隅であり、スキャンの方向、即ち右及び下を正とする。目に見えるピクチャ領域は、境界線の内側の矩形であり、即ち、１．５，０．５；１４．５，０．５；１４．５，１１．５及び１．５，１１．５である。この座標系は、センサ位置の３×３行列を、行１−１５及び列０−１２を有するコンバーゼンス調整位置の１５×１３の行列上へ写像するのに用いられる。行０は、ラスタ走査の水平帰線時間中に生じ、行１のデータの複製を含む。ピクチャがアンダースキャンされ、自動アラインメント中にセンサを照らすためにサイズが一時的に拡大されねばならない場合、１５×１３行列は拡張され、３×３行列は１５×１３行列上でより小さく写像されねばならない。
【００２６】
【表１】
2005535183.tif 000003
初期コンバーゼンスアラインメントでは、グリッドは、１５×１３行列線及びピクチャエッジ境界線に対応して点灯される。カメラ及びコンピュータシステムは、幾何学的歪みを補正し、境界線をスクリーンの枠内に当てはめるようこのグリッドを調整するのに用いられる。センサの実際の位置は、最小コンバーゼンス調整ステップサイズ増分の形で１５×１３グリッドに対して測定される。実際のラスタ位置のこの格納された測定値は、センサに対するラスタの後の評価の移動の基礎となる。相対的な移動が測定されると、３×３差分行列が計算されえ、双曲線当てはめを用いて、３×３行列は１５×１３行列へ写像されえ、それにより１５×１３行列中の全ての点についての、１５×１３グリッドをスクリーンの枠内の元の位置へ戻す新しいコンバーゼンス値が決定される。この差分アプローチは、機械的なセンサの位置を重要なものではなくすることを可能とする。上述のように、中心データ又は９番目のセンサデータは欠けており、推定されねばならない。これは、水平の移動についての上及び下のセンサ位置データの中心と、垂直な移動の左側及び右側のセンサ位置の中心との単純な線形補間平均を用いて行われる。
【００２７】
上述の方法を用いて、コンバーゼンスは、磁界の変化が３つの陰極線管における偏向を変更した後の許容可能な精度へ戻される。この自動アラインメントの方法は、図６Ａ（ステップ６０１乃至６０９）において概略的な形で示されており、図７Ａにおいて本発明を容易とするための追加的な記憶段階と共に繰り返される。
【００２８】
スクラッチパッドＥＥＰＲＯＭ５５０は、電源切断サイクル後に失われたＲＡＭ３０５データを回復するのに用いられる不揮発性記憶装置である。ＥＥＰＲＯＭ９２０は、初期コンバーゼンスアラインメントデータ（ステップ６０１、６０２）及び初期センサ位置データ（ステップ６０３）用の不揮発性記憶装置である。コンバーゼンスＩＣ  ＤＡＣ、例えば参照番号３１１及び３１２は、ＲＡＭ３０５データを常に使用する。電源投入後、このＲＡＭデータは、スクラッチパッドＥＥＰＲＯＭ５５０からロードされる。自動アラインメント処理（ステップ６０４）の開始後、ＥＥＰＲＯＭ９２０初期アラインメントデータはＲＡＭ３０５データ３０５へロードされる。これは、正しいコンバーゼンスアラインメントであることが測定された初期条件を再び確立するために行われねばならない。この初期アラインメントデータに対応するセンサ位置はわかっており、参照ＥＥＰＲＯＭ９２０に格納される。図３、図４、及び図５中に示す上述されたセンサを見つける処理（ステップ６０５）は、磁界の変化によって又は他の原因によって生じたピクチャ歪みが、いったんは補正コンバーゼンス結果を生成したアラインメントデータを用いて（ステップ６０６）センサ位置における差として測定されること（ステップ６０７）を可能とする。次に、３つの色のピクチャは、センサ位置がピクチャ幾何形状に関して所望の位置に戻されるよう上述の行列処理を介して別々に夫々に応じて歪められうる。この動作は、元の所望のコンバーゼンスを回復させる（ステップ６０８）。行列計算から得られる新しいコンバーゼンスデータは、ＩＣ  ＲＡＭ３０５に格納され（ステップ６０９）、スクラッチパッドＥＥＰＲＯＭ５５０中でバックアップがとられる。
【００２９】
図６Ｂは、現在の手動中心コンバーゼンス最適化方法を示す図である。この方法では、選択された色（ステップ６１０）、即ち赤又は青は、スクリーン中心における２つの色の表示を用いて緑と集束するようユーザによって手動で調整される（ステップ６２０）。選択された色が移動する距離（ＣＰ）は、ディジタル集束ディジタルステップで測定される。ステップの数は、３×３行列で中心値（デルタＣ’）として使用される。他の８つの行列値はゼロである。コンバーゼンスが計算され（ステップ６４０）、適用されると（ステップ６５０）、この行列はピクチャの中心を変更させ、エッジを変化させないままとする。行列計算の結果は、ＲＡＭ３０５及びＥＥＰＲＯＭ５５０へのディジタル記憶のために整数へ丸められねばならない（ステップ６６０）。これは、１つ又は２つの移動に対しては適用可能である。多数回の移動が行われると、丸め誤差は累積され、望ましくないコンバーゼンス誤差を生じさせる。
【００３０】
本発明の１つの面によれば、多数の手動センタリングの移動による丸め誤差の累積を現象／除去するための典型的な動作が行われる。典型的な方法を、図７Ａ及び図７Ｂに示す。図７Ａ中、参照ＥＥＰＲＯＭ９２０中の記憶は、最近の自動アラインメントからのセンサ位置データ及び以前のセンタリングの移動の和（ＭＳ）を示すデータを含むよう増加される。自動コンバーゼンズを実行することは、以前の手動センタリングを打ち消し、従って移動の和（ＭＳ）はゼロに設定される。
【００３１】
より特定的には、図２と共に図７Ａを参照するに、各カラーバンド、例えば赤、青、緑に対して（ステップ７１０）アラインメント処理７００が行われ、アラインメント処理７００では、初期コンバーゼンスアラインメント（ステップ７２０）が行われ、初期コンバーゼンスデータが、ＲＡＭ３０５（図２）及びＥＥＰＲＯＭ９２０（図２）といったメモリに格納される（ステップ７３０）。各エッジのセンサ場所又は位置が決定され、初期センサ位置（Ｓｉ１，．．．，Ｓｉ８）は、ＥＥＰＲＯＭ９２０（図２）といったメモリに格納される（ステップ７４０）。ユーザ選択に応じて（ステップ７４５）、システムは、自動アラインメント処理を実行するよう動作し、これは初期コンバーゼンスデータをＥＥＰＲＯＭ９２０からＲＡＭ３０５へ呼び出すこと（ステップ７５０）、及び、ＥＥＰＲＯＭ９２０を記憶する新しい（即ち更新された）実際のセンサ位置データ（Ｓｐ１，．．．，Ｓｐ８）を決定することを含む。ＥＥＰＲＯＭ９２０メモリに格納された更新されたセンサ位置データは、殆どの最近計算された自動コンバーゼンスデータに基づくオフセット、又は、ずれの将来の再計算を可能とする。センサオフセット値の３×３行列は、初期センサ位置データ（Ｓｉ１，．．．，Ｓｉ８）と新しい又は更新されたセンサ位置データ（Ｓｐ１，．．．，Ｓｐ８）（ステップ７７０）との間の差から得られる。初期中心センサ位置は、エッジの中央、左、及び右の初期の垂直平均、並びに、エッジの中央、上、及び下の初期水平平均であるよう計算される。同様に、更新された中心センサ位置は、エッジの中心、左、及び右の更新された垂直平均及びエッジの中央、上、及び下の更新された水平平均であるよう計算される。中心位置行列値（ＤＣ）は、初期中心位置と更新された中心位置の間の差である。３×３行列は、以下の形をとる。
【００３２】
Ｓｉ１−Ｓｐ１    Ｓｉ２−Ｓｐ２    Ｓｉ３−Ｓｐ３
Ｓｉ８−Ｓｐ８    ＤＣ              Ｓｉ４−Ｓｐ４
Ｓｉ７−Ｓｐ７    Ｓｉ６−Ｓｐ６    Ｓｉ５−Ｓｐ５
但し、ＤＣ＝Ｈaverage＝（Ｓｉ２ｈ＋Ｓｉ６ｈ）／２−（Ｓｐ２ｈ＋Ｓｐ６ｈ）／２
Ｖaverage＝（Ｓｉ８ｖ＋Ｓｉ４ｖ）／２−（Ｓｐ８ｖ＋Ｓｐ４ｖ）／２
である。３×３行列は、行列結果に基づきコンバーゼンス値を得るよう１５×１３コンバーゼンスグリッド表示上に写像される。これらの値は、各グリッド交点に対して計算され、整数へ丸められ、ＩＣ  ＲＡＭ３０５（図２）及びＥＥＰＲＯＭ５５０といったメモリ（ステップ７８５）に格納される。中心の夫々の合計を表す移動の和の変数（ＭＳ）は、ゼロに設定され、ＥＥＰＲＯＭ９２０（図２）といったメモリに格納される（ステップ７９５）。コンバーゼンス値は、ステップ７９８に示すように波形発生器ＤＡＣ３１１、３１２（図２）を駆動するのに使用される。
【００３３】
図７Ｂは、本発明の面による新しい手動センタリング処理を示す。動かされるべき色が選択された後（ステップ８１０）、ユーザは、２つの色表示を用いてピクチャ中心にある緑に重なり合うよう色を正確に動かす（ステップ８２０）。この動作は、以前の移動からの中心の歪みを含みうるＲＡＭ３０５へ複製されうるＥＥＰＲＯＭ５５０を用いて行われる。この歪みは、コンバーゼンスを最適化するのに必要な移動の距離及び歪みを決定する。ＥＥＰＲＯＭ９２０中の「移動の和」（ＭＳ）は、初期のアラインメントデータから現在ＥＥＰＲＯＭ５５０／ＲＡＭ３０５データを計算するのに使用される中心オフセットを記憶する。ユーザが移動を完了すると、行列計算を容易とするよう、選択された色に対する初期のアラインメントデータ（ステップ８３０、８４０、８５０）がＲＡＭ３０５からＥＥＰＲＯＭ９２０へロードされる。行列中の８つのエッジの点は、初期センサ位置と、直近の自動アラインメントによって得られたセンサ位置の間の差として定義される。中心行列点は、左及び右のセンサの垂直方向の差と、上及び下のセンサの水平方向の差の平均に、以前の移動の「移動の和」（ＭＳ）を足し、現在の移動（ＣＰ）を足したものである。最後の自動コンバーゼンス以来移動が生じておらず現在の移動がゼロであれば、この行列は、最後の自動コンバーゼンス中に選択された色を再計算するのに使用されたものと全く同じである。移動が生じており、又は生じている間であれば、行列は、中心が動いた選択された色の最後の自動コンバーゼンスと同様である。行列を計算するのに使用された全てのデータは、初期整数値又は整数の移動データの何れかである。以前の移動から生ずる丸められた分数の集積はない。
【００３４】
より特定的には、図７Ｂに示すように、ユーザは、コンバーゼンス処理を最適化するよう画像を更に調整し、望ましくない歪みについて更に補正することが可能とされる。ユーザには、２つ又は３つのカラーバンドについての中心位置領域コンバーゼンスの最適化を可能とするメニュー表示（図示せず）が与えられる。センタリングのための色が選択され（ステップ８１０）、これは、典型的な実施例では、（緑に対して）赤又は青のいずれかである。次に、イエロー（赤に緑を加える）又はシアン（青に緑を加える）のセンタリング信号がスクリーン上に表示される。ユーザは、色の重なり合いを整列させるために赤又は青の色信号マーカのいずれかを動かし、スクリーンの調整を抜ける（ステップ８２０）。動かされた色に対しては、初期のコンバーゼンスデータは、ＥＥＰＲＯＭ９２０メモリからＩＣ  ＲＡＭ３０５（ステップ８３０）へロードされる。更に、初期のセンサ位置データ（Ｓｉ１，．．．，Ｓｉ８）、現在のセンサ位置データ（Ｓｐ１，．．．，Ｓｐ８）、及び中心の移動の和の値（ＭＳ）がメモリから取り出される（夫々、ステップ８４０、８４５、８５０）。動かされた色について、中心位置を除き、最近の自動コンバーゼンス計算と同じ行列計算を用いて、３×３行列が計算される（ステップ８６０）。３×３行列は、以下の形、
Ｓｉ１−Ｓｐ１    Ｓｉ２−Ｓｐ２    Ｓｉ３−Ｓｐ３
Ｓｉ８−Ｓｐ８    ＤＣ”            Ｓｉ４−Ｓｐ４
Ｓｉ７−Ｓｐ７    Ｓｉ６−Ｓｐ６    Ｓｉ５−Ｓｐ５
但し、ＤＣ”＝ＤＣ＋ＭＳ＋ＣＰである。
【００３５】
中心値は、色が動かされた現在距離（ＣＰ）に、最近の自動コンバーゼンス値（ＤＣ）を足し、中心の移動の履歴の和の値（ＭＳ）を足したものを表わす。移動の履歴の和の値（ＭＳ）は、現在の移動（ＣＰ）を以前の移動の履歴の和の値（ＭＳ）と合計することによって更新され（ステップ８７０）、ＥＥＰＲＯＭ９２０に格納される。
【００３６】
３×３行列（ステップ８６０）は、行列の結果に基づいてコンバーゼンス値を得るよう１５×１３コンバーゼンス・グリッド表示上に写像される（ステップ８８０）。これらの値は、各グリッド交点に対して計算され、整数へ丸められ、ＩＣ  ＲＡＭ３０５（図２）及びＥＥＰＲＯＭ５５０といったメモリ中に格納される（ステップ８８５）。各中心の和を表わす移動の和の変数（ＭＳ）によっては、ゼロに設定され、ＥＥＰＲＯＭ９２０（図２）等のメモリに格納される（ステップ７９５）。次に、コンバーゼンス値は、中心コンバーゼンスを最適化するために、ステップ８９０に示すような波形発生器ＤＡＣ３１１、３１２（図２）を駆動するのに用いられる。従って、上述したように、行列を計算するのに用いられるデータは初期整数データ又は整数の移動データのいずれかであるため、丸め誤差は累積しない。
【００３７】
更に、本発明の１つの面によれば、上述のシステム及び方法は、このとき、如何なる数の画像センタリング操作についても、最悪の場合は、表示スクリーン上に画像を形成するカラーバンドのうちの１つの中心と０．５ミリメートルよりも小さい他のカラーバンドのうちの１つの中心との間の変化であるよう、各カラーバンドに関連するコンバーゼンス値が、中心位置の移動及び／又は手動／ユーザ再整列の数に関わらず最適化されることを可能とする。
【００３８】
本発明の面についてビデオ表示システムに関連して説明したが、本発明による方法は、中心コンバーゼンス最適化の方法をプロセッサに実行させるよう制御するビデオ表示システムのプロセッサによる実行のための命令のコンピュータ読み取り可能な媒体の形で実現され分布されることが可能であることが理解される。本発明は、分布をするのに実際に使用される信号を運ぶ媒体の特定の種類には関係なく、またプログラミング命令、ファクタ、又は他の特定のプログラミング技術の性質には関係なく、様々な形のコンピュータ読み取り可能な媒体に等しく適用される。コンピュータ読み取り可能な媒体の例は、フレキシブルディスク、ハードディスクドライブ、ＲＡＭ、ＲＯＭ、ＣＤ−ＲＯＭ、ＤＶＤ−ＲＯＭ等の記録可能な種類の媒体、並びに、ディジタル及びアナログ通信リンクや、例えば無線周波数及び光波伝送といった伝送方式を用いた有線又は無線の通信リンク等の伝送形の媒体を含む。コンピュータ読み取り可能な媒体は、実行可能な符号化されたフォーマット、並びに、特定のデータ処理システムにおける実際の使用のために解釈又は復号化されるフォーマットの形をとりうる。
【００３９】
本発明について、或る程度の特定性をもって典型的な形について説明し図示したが、このような形の本発明の開示は例としてなされたものであって、構造及び組合せの詳細、並びに、部分の配置における多数の変化は、添付の特許請求の範囲に記載される本発明の趣旨及び範囲を逸脱せずになされうることが理解されるべきである。特許は、開示される発明に特許可能な新規性の如何なる特徴が存在しても、添付の特許請求の範囲の適当な表現によって網羅されることが意図される。
【図面の簡単な説明】
【００４０】
【図１Ａ】投写型ビデオディスプレイを示す簡単化された正面図である。
【図１Ｂ】コンバーゼンスパターンを示す投写型ビデオディスプレイを示す図である。
【図２】有利な特徴を含むビデオ画像投写型表示装置を示す簡単化されたブロック図である。
【図３】自動化されたエッジ及び誤差検出シーケンスを示すフローチャートである。
【図４】自動化されたエッジ及び誤差検出シーケンスを示すフローチャートである。
【図５】自動化されたエッジ及び誤差検出シーケンスを示すフローチャートである。
【図６Ａ】従来技術の自動化されたアラインメント処理を示すフローチャートである。
【図６Ｂ】従来技術の手動の中心調整シーケンスを示すフローチャートである。
【図７Ａ】本発明の実施例による中心コンバーゼンス最適化を行うための自動アラインメント処理に対するデータ記憶装置の変更を示すフローチャートである。
【図７Ｂ】中心の多数の移動による累積した誤差を除去する本発明の実施例による中心調整シーケンスを示すフローチャートである。
2005535183.tif 000004
【図２】
2005535183.tif 000005
【図３】
2005535183.tif 000006
【図４】
2005535183.tif 000007
【図５】
2005535183.tif 000008
【図６Ａ】
2005535183.tif 000009
【図６Ｂ】
2005535183.tif 000010
【図７Ａ】
2005535183.tif 000011
【図７Ｂ】
2005535183.tif 000012
【国際調査報告】
2005535183.tif 000013